(57)【要約】【課題】機器との間に隙間が発生するのを防止し、機器との一体化を図ることが可能な機器の搭載台を提供する。【解決手段】基台２に設置固定され搭載する機器を支持する支持脚３と、その支持脚３の前面を覆い、かつ支持脚３に、上下方向摺動可能となるように設置したカバー６と、そのカバー６を上方に向って付勢する弾性手段を有し、その弾性手段によって支持脚３に搭載された機器の下端とカバー６の上端部が隙間無く接触することにより、機器と搭載台の一体化を図る。【選択図】図２
2008187600.tif 000002
【特許請求の範囲】
【請求項１】
基台と、前記基台に設置され機器を支持する支持脚と、前記支持脚の前面を覆い、かつ前記支持脚に、上下方向に摺動可能となるように設置するカバーと、前記カバーを上方に付勢する弾性手段を有する機器の搭載台。
【請求項２】
前記基台の前記支持脚設置箇所に沿って形成され、前記弾性手段に抗して下降した前記カバー下端部が入り込む溝を有する請求項１記載の機器の搭載台。
【請求項３】
前記カバーの上端部前部を最も高く形成した請求項１記載の機器の搭載台。
【請求項４】
前記弾性手段を前記支持脚に一体形成した請求項１記載の機器の搭載台。
【請求項５】
前記弾性手段を前記カバーに一体形成した請求項１記載の機器の搭載台。
【請求項６】
前記弾性手段を前記カバー下端と前記溝の底との間に配置した請求項２記載の機器の搭載台。
【請求項７】
前記基台の前記支持脚設置箇所には、前記支持脚を固定する支持脚固定部材が設けてあり、前記支持脚固定部材の外周部には前記基台の上面より高く位置するスライド面が形成されており、前記支持脚は、その下端部を前記スライド面に当接させながら横滑りさせることに伴い、前記支持脚の下部に設けた嵌合部と前記支持脚固定部材に設けた保持部が係合することにより、前記支持脚が前記支持脚固定部材に固定される請求項１記載の機器の搭載台。
【請求項８】
前記支持脚が前記支持脚固定部材に固定された状態で、前記支持脚の下端外周部は前記スライド面に当接している請求項７記載の機器の搭載台。
【請求項９】
前記スライド面は、前記支持脚固定時の横滑り方向に対して、手前は短く奥は長く形成した請求項７記載の機器の搭載台。
【請求項１０】
前記基台の前記支持脚設置箇所には、前記支持脚を固定する支持脚固定部材が設けてあり、前記支持脚はその下部を前記支持脚固定部材に当接させながら横滑りさせることに伴い、前記支持脚の下部に設けた嵌合部と、前記支持脚固定部材に設けた保持部が係合することにより、前記支持脚が前記支持脚固定部材に固定される構成とし、前記支持脚が前記支持脚固定部材に固定された状態で、前記支持脚の嵌合部と前記支持脚固定部材の保持部の上下対向部分には隙間が形成され、前記支持脚と前記支持脚固定部材は前記嵌合部と前記保持部の上下対向部分以外の箇所で当接する請求項１記載の機器の搭載台。
【請求項１１】
前記支持脚と前記支持脚固定部材が当接する箇所は、前記嵌合部と前記保持部の上下対向部分に対して上下に位置する請求項１０記載の機器の搭載台。
【発明の詳細な説明】
【技術分野】
【０００１】
本発明はテレビ等の機器を設置する機器の搭載台に関するものである。
【背景技術】
【０００２】
従来、テレビ等の機器は、機器も搭載できる家具やその機器専用に作製された搭載台などに搭載して使用することが多い。
【０００３】
上記搭載台はテレビ専用に作成されているため、通常搭載するテレビのデザインに合うように配慮されており、搭載するテレビとの一体化を図る搭載台も提案されている。
【０００４】
しかしながら、搭載する機器と搭載台は別体のものであるから、テレビと搭載台の間には隙間ができてしまう。
【０００５】
そこで、図１４に示すようにテレビ１０１の搭載台１０２の上に、テレビ１０１の底部形状に合った覆い部材１０３を設け、その上にテレビ１０１を搭載し、テレビ１０１と搭載台１０２に形成されていた隙間を埋めて、テレビ１０１と搭載台１０２の一体化を図る構成が提案されていた。（特許文献１参照）
【特許文献１】特開２００２−７７７７３号公報（図１、図３など）
【発明の開示】
【発明が解決しようとする課題】
【０００６】
しかしながら、従来の構成では、覆い部材１０３がテレビ１０１と搭載台１０２の間の隙間に設けられるためテレビ１０１と搭載台１０２の間の隙間はほぼ埋められるが、覆い部材１０３とテレビ１０１の間には目に見える隙間１０４が残る。
【０００７】
特に、テレビ１０１の前部下方に残る隙間１０５はテレビ１０１と搭載台１０２の一体化を望む使用者にとって大いに気になる。
【０００８】
さらに、覆い部材１０３とテレビ１０１の間に残る隙間１０５に溜まったほこりは、覆い部材１０３によって小さくなった隙間１０５は掃除がし難く、しかも、テレビ１０１の前部下方であるから、使用者にとって大いに気になる。
【０００９】
本発明は、上記課題を解決するもので、テレビなどの機器と一体化を図ることが可能な機器の搭載台の提供を目的とするものである。
【課題を解決するための手段】
【００１０】
上記課題を解決するために、本発明は基台と、前記基台に設置され機器を支持する支持脚と、前記支持脚の前面を覆い、かつ前記支持脚に、上下方向に摺動可能となるように設置するカバーと、前記カバーを上方に付勢する弾性手段を有するものである。
【発明の効果】
【００１１】
弾性手段によってカバーを上方に付勢することにより、支持脚に機器を搭載したとき、カバーの上端が機器の下端に接し、機器はカバーを介して搭載台に隙間無く設置され、機器と搭載台の一体化を図ることが可能となるとともに、機器と搭載台の間に隙間がないので、ほこりも溜まらず掃除の手間も省ける。
【発明を実施するための最良の形態】
【００１２】
本発明は、基台と、その基台に設置され機器を支持する支持脚と、その支持脚の前面を覆い、かつ支持脚に、上下方向に摺動可能となるように設置したカバーと、そのカバーを上方に付勢する弾性手段と、基台の支持脚設置箇所に沿って形成され、弾性手段に抗して下降したカバー下端部が入り込む溝を有するものである。
【００１３】
弾性手段によってカバーを上方に付勢することにより、カバーの上端が機器の下端に隙間無く接し、機器と搭載台の一体化を図ることが可能となるとともに、機器と搭載台の間に隙間がないので、ほこりも溜まらず掃除の手間も省ける。
【００１４】
また、本発明は、基台の支持脚設置箇所に沿って形成され、弾性手段に抗して下降したカバー下端部が入り込む溝を形成するものである。
【００１５】
機器の下端に接することによってカバーが弾性手段に抗して下方に摺動移動する構成とするとともに、基台に形成した溝にカバーの下端が入り込む構成とすることにより、支持脚の前面全てがカバーに覆われる構成とになる。そのため、機器と隙間無く当接しているカバーが基台とも一体化しているように見え、機器と搭載台の一体化を効果的に図ることができる。
【００１６】
また、本発明は、カバーの上端部前部を最も高く形成したものであり、カバー上端部前部が確実に機器下端に隙間無く当接することが可能となり、機器と搭載台の一体化を確実に図ることができる。
【００１７】
また、本発明は、弾性手段を支持脚に一体形成したものであり、弾性手段を別部材として扱う必要がなく、組立性に優れる。
【００１８】
また、本発明は、弾性手段をカバーに一体形成したものであり、この場合も弾性手段を別部材として扱う必要がなく、組立性に優れる。
【００１９】
また、本発明は、弾性手段を前記カバー下端と前記溝の間に配置したものであり、溝にごみ、ほこりが入りにくい構成となる。
【００２０】
さらに、本発明は、基台の支持脚設置箇所には、支持脚を固定する支持脚固定部材が設けてあり、支持脚固定部材の外周部には基台の上面より高く位置するスライド面が形成されており、支持脚の下端部をスライド面に当接させながら横滑りさせることに伴い、支持脚の下部に設けた嵌合部と、支持脚固定部材に設けた保持部が係合し、支持脚は支持脚固定部材に固定される。
【００２１】
支持脚を横滑りさせて基台に固定する構成とすることにより、支持脚が上方に外れることがなく、搭載台を移動させる際も扱い易い。さらに、支持脚を横滑りさせる際、基台の上面より高く位置する支持脚固定部材のスライド面に支持脚の下端を当接させるため、基台に傷つけることなく支持脚の固定作業が行える。なお、後述するようにスライド面は支持脚により隠れるのでスライド面に傷がついても問題はない。
【００２２】
また、本発明は、支持脚が支持脚固定部材に固定された状態で、支持脚の下端外周部がスライド面に当接しているもので、支持脚の下端外周部がスライド面に支持されるので、支持脚のぐらつき、傾斜を防止することができる。
【００２３】
また、本発明は、スライド面の、支持脚固定時の横滑り方向に対して、手前を短く奥を長く形成したことにより、支持脚下端を支持脚固定部材に当接する際、横滑り方向奥のスライド面が広いため容易に支持脚下端をスライド面に当接させることができる。しかも支持脚の横滑り方向手前のスライド面は狭く形成されているので、支持脚を支持脚固定部材に固定した際、スライド面が全て支持脚の下に収まり、見栄えの良いものとなる。
【００２４】
さらに、本発明は、支持脚が支持脚固定部材に固定された状態で、支持脚の嵌合部と支持脚固定部材の保持部の上下対向部分には隙間が形成され、支持脚と支持脚固定部材は嵌合部と保持部の上下対向部分以外の箇所で当接する構成としたもので、支持脚の嵌合部と支持脚固定部材の保持部の係合が容易となり、かつ支持脚の嵌合部と支持脚固定部材の保持部に機器の重量が加わらないため、支持脚の嵌合部と支持脚固定部材の保持部の磨耗、破損を防止することができ、機器が非常に重い場合であっても、搭載台の高寿命化を図ることができる。
【００２５】
また、本発明は、支持脚と支持脚固定部材が当接する箇所を、嵌合部と保持部の上下対向部分に対して上下に位置するものであり、機器の重量を嵌合部と保持部の上下対向部分の上下で受けるため、支持脚の嵌合部と支持脚固定部材の保持部の磨耗、破損を確実に防止することができ、搭載台の高寿命化を図ることができる。
【００２６】
以下、本発明の実施の形態について、図面を参照しながら説明する。なお、この実施の形態によって本発明が限定されるものではない。
【００２７】
（実施の形態）
図１は、本発明の実施の形態における機器の搭載台に機器を搭載した状態を示す。
【００２８】
図に示すように搭載台１は板状の基台２に支持脚３が設置され、２つの支持脚３は、支持棒４を有する連結部材５で上部が繋がれている。そして支持脚３の前面は支持脚３に上下方向摺動可能にカバー６が設けられている。そして、搭載台１には機器７として薄型テレビが搭載されている。
【００２９】
次に支持脚３とカバー６の構造について説明する。図２（ａ）に示すように基台２上に設置された支持脚３は、前部３ａが直方体形状に形成され、後部３ｂは断面略台形形状に形成されている。そして支持脚３の後部３ｂは支持脚３を前方から見ると前部３ａに隠れるように前部３ａより幅が狭く形成されている。
【００３０】
支持脚３の前面に設けられるカバー６は、支持脚３の前部３ａを覆うように断面コ字状（図２では断面形状図示せず）に形成されており、カバー６の上端には段差部６ａが形成され、上端部前部６ｂは段差部６ａより高くなるように形成されている。
【００３１】
そして、図２（ｂ）に示すように、カバー６は支持脚３の前部３ａ（図２（ｂ）では図示せず）を覆うように、支持脚３に上下方向摺動可能に取り付けられる。
【００３２】
支持脚３を設置する基台２には支持脚３の設置箇所に沿って溝８ａが形成されており、カバー６が下方にスライドしてくると、その下端６ｃが溝８ａに入り込むようになっている。
【００３３】
溝８ａは上方から見ると、カバー６の下端６ｂの断面形状である略コ字形状と同様の形状で、溝８ａの幅は、カバー６の下端６ｃがスムーズに入り込み、かつ溝８ａの存在が目立たないように、カバー６の下端６ｃが溝８ａに入り込んだ状態で、カバー６全周に渡って溝８ａの間に０．２〜０．５ｍｍの隙間が生じるように寸法設定されている。
【００３４】
そして溝８ａの深さは、カバー６の下端６ｃが溝８ａに２ｍｍ程度入り込めるという設定で、２．５〜３ｍｍとしている。また、３ｍｍ以上の深さにすると溝８ａから亀裂を発生させ、基台２の割れを発生させる場合がある。
【００３５】
次に、図３、図４にて支持脚３にカバー６を取り付ける構造について説明する。
【００３６】
図に示すように支持脚３の前部３ａの両側面には直方体形状の取付突起３ｃが形成されている（図３、図４では前部３ａの両側部にある取付突起３ｃのうち一方のみを示す。）。
【００３７】
また、カバー６の両側の側部６ｄには支持脚３の取付突起３ｃと対向する位置に取付溝６ｅが形成されている（図３、図４ではカバー６の両側の側部６ｄの取付溝６ｅのうち一方のみを示す。）。
【００３８】
取付溝６ｅはカバー６の両側の側部６ｄの裏面（前方から見えない面）に、支持脚３の取付突起３ｃの厚みに近い深さでＬ字状に形成されている。
【００３９】
カバー６を支持脚３に取付ける際は、カバー６を矢印Ｘ方向（後方）に運び、カバー６の取付溝６ｅに支持脚３の取付突起３ｃが入り込むようにし、支持脚３の取付突起３ｃがカバー６の取付溝６ｅの壁部６ｆに突き当たり、カバー６がそれ以上矢印Ｘ方向に運べなくなった状態で、カバー６を矢印Ｙ方向（下方）に運ぶ。
【００４０】
このようにカバー６を支持脚３に取り付けることにより、支持脚３の取付突起３ｃがカバー６のＬ字状の取付溝６ｅに保持されることにより、カバー６は支持脚３から外れない。但し、カバー６の取付溝６ｅの上端部６ｇと支持脚３の取付突起３ｃには空間があるため、カバー６の上下方向の動きは、取付突起３ｃによってはほとんど規制されない。
【００４１】
図３、図４では支持脚３に取付突起３ｃを形成し、カバー６に取付溝６ｅを形成したが、カバー６に取付突起を形成し、支持脚３に取付溝を形成する構成でも良い。
【００４２】
次に、図５により、上記実施の形態とは異なる支持脚９とカバー１０の取付け構造の例を示す。
【００４３】
図５に示すように基台２上に設置された支持脚９は、前面９ａが広く後面９ｂが狭い断面台形形状をしている。後面９ｂが前面９ａより狭い形状であるため、前から支持脚９を見ると支持脚９の後方は見えない。
【００４４】
カバー１０は支持脚９の前面９ａに取り付けられる構成であり、断面は後方を絞った略コ字状に形成されている（図５では断面形状図示せず）。カバー１０は図２に示したカバー６と同様、上端には段差部１０ａが形成され、上端部前部１０ｂは段差部１０ａより高くなるように形成されている。
【００４５】
そして、図５（ｂ）に示すように、カバー１０は支持脚９の前面９ａ（図５（ｂ）では図示せず）を覆うように、支持脚９に上下方向摺動可能に取り付けられる。
【００４６】
ここで、カバー１０の後方を絞り、かつ支持脚９を前面９ａが広い断面台形形状とすることにより、カバー１０は支持脚９に取り付けられると、カバー１０は支持脚９から前方に向って外れなくなる。
【００４７】
基台２には支持脚９の設置箇所に沿って溝８ｂが形成されており、カバー１０が下方にスライドしてくると、その下端１０ｃが溝８ｂに入り込むようになっている。
【００４８】
溝８ｂは図２の溝８ａと比べ、平面形状こそ後方が絞られたコ字状である点で異なるが、溝８ｂの幅および深さは溝８ａと同様である。
【００４９】
図６は支持脚３に上下方向摺動可能に設けられたカバー６（或いは、カバー１０）の下端６ｃ（或いは、下端１０ｃ）が基台２の溝８ａ（或いは、溝８ｂ）に入り込む様子を示している。
【００５０】
カバー６の下端部６ｃが基台２の溝８ａに入り込むよう構成していることにより、支持脚３はカバー６により前部３ａが全て覆われる構成となり、カバー６と基台２が一体化しているように見える効果がある。
【００５１】
なお、搭載台１の軽量化あるいは成形を容易にするため、支持脚３、カバー６はＡＢＳ、ＰＳなどの通常樹脂で形成されるが、搭載する機器の重量が大きい場合は支持脚３をアルミダイキャストなどの金属で形成する場合もある。
【００５２】
カバー６は、支持脚３に対して上下方向に摺動可能に設けられているだけでなく、弾性手段によって上方に付勢されており、支持脚３に薄型テレビなどの機器７（図示せず）が搭載された際、カバー６は、その上端前部６ｂが機器７の下端に当接するように作用し、カバー６の上端前部６ｂが機器７の自重で押下げられ、カバー６の上端前部６ｂと機器７の下端は隙間無く接する。
【００５３】
図７〜図９により、カバー６を上方に付勢する弾性手段について説明する。
【００５４】
図７では弾性手段１１を支持脚３の上端部３ｄに一体形成した例を示す。
【００５５】
図に示すように支持脚３の上端部３ｄに形成する弾性手段１１はコ字状の孔１１ａと、孔１１ａで囲まれた弾性部１１ｂと、弾性部１１ｂを上下方向に揺動可能に支持する固定部１１ｃと、弾性部１１ｂの端部に上方へ向うように形成された接触部１１ｄとから構成されており、接触部１１ｄ先端はカバー６の上端に形成され、上端前部６ｂより低く位置する段差部６ａの下面に接する。
【００５６】
弾性部１１ｂは適度に硬度と粘性を持つように、材質に合わせて長さ、幅、厚みが選択されて形成されている。そのため、弾性部１１ｂの端部、すなわち接触部１１ｄに上下方向の力を掛けると固定部１１ｃとの接続部分から弾性部１１ｂは上下いずれかに撓む。
【００５７】
そして、弾性部１１ｂはその硬度により、撓むに従って元に戻ろうとする復元力が生じる。この復元力が弾性部１１ｂの弾性力となる。
【００５８】
なお、図７（ａ）では弾性手段１１の構成が明確となるよう接触部１１ｄと段差部６ａが接触していないように描写しているが、カバー６を支持脚３に取り付けた時は、カバー６の自重により接触部１１ｄと段差部６ａは接触している。接触部１１ｄと段差部６ａの底面が接触すると、接触部１１ｄの高さにより段差部６ａの底面と支持脚３の上端面の間には３ｍｍ程度の隙間が形成される。
【００５９】
図８では弾性手段１２をカバー６の段差部６ａに一体形成した例を示す。
【００６０】
カバー６の段差部６ａに形成される弾性手段１２はコ字状の孔１２ａと、孔１２ａで囲まれた弾性部１２ｂと、弾性部１２ｂを上下方向に揺動可能に支持する固定部１２ｃとから構成されており、弾性部１２ｂの下面は支持脚３の上端部３ｄに形成した突起３ｅ先端に接する。弾性部１２ｂの下面と突起３ｅが接触すると、突起３ｅの高さにより段差部６ａの底面と支持脚３の上端面の間には３ｍｍ程度の隙間が形成される。
【００６１】
弾性部１２ｂは適度に硬度と粘性を持つように、材質に合わせて長さ、幅、厚みが選択されて形成されている。そのため、弾性部１２ｂの端部に上下方向の力を掛けると固定部１２ｃとの接続部分から弾性部１２ｂは上下いずれかに撓む。
【００６２】
そして、弾性部１２ｂはその硬度により、撓むに従って元に戻ろうとする復元力が生じる。この復元力が弾性部１２ｂの弾性力となる。
【００６３】
なお、図８（ａ）では弾性手段１２の構成が明確となるよう突起３ｅと弾性部１２ｂが接触していないように描写しているが、カバー６を支持脚３に取り付けた時は、カバー６の自重により突起３ｅと段差部６ａの底面は接触している。
【００６４】
図９では弾性手段１３を溝８ａに設けた例を示す。弾性手段１３は基台２に形成した溝８ａ内に設けてある。弾性手段１３はゴム等の弾性材料からなり、カバー６の自重ではほとんど変形しないような弾性を有する。
【００６５】
機器７（図示せず）を支持脚３に向って降ろしていくと、機器７の下端にカバー６の上端前部６ｂ（図示せず）が接触し、機器７が支持脚３上の連結部材５（図示せず、図１参照）に搭載されるまで、カバー６は弾性手段１３に抗して、基台２に形成された溝８ａに入り込んでいく。
【００６６】
そして、機器７が支持脚３上の連結部材５に搭載されると、カバー６の下方へのスライドが止まり、弾性手段１３の復元力によりカバー６の上端前部６ｂは機器７の下端に押し付けられる。その結果、カバー６と機器７との接触部分には隙間が形成されず、機器７とカバー６の一体化、ひいては機器７と搭載台１（全体は図示せず）の一体化が図れる。
【００６７】
次に、図１０によりカバー６と搭載台１に搭載する薄型テレビなどの機器７が隙間無く当接する構成を、図８で説明した弾性手段１２を例に説明する。
【００６８】
図１０（ａ）に示すように、機器７を搭載する前はカバー６の弾性手段１２の弾性部１２ｂは、支持脚３の突起３ｅに接触するもののほとんど変形していない。
【００６９】
機器７を矢印Ｚ方向（下方）に運ぶと機器７自体は、図示しない連結部材５を介して支持脚３が支持するが、図１０（ｂ）に示すように機器７の下端７ａの位置が、図１０（ａ）で示すカバー６の上端前部６ｂの位置より低くなり、結果としてカバー６は弾性手段１２に抗して下方にスライドする。
【００７０】
弾性手段１２の弾性部１２ｂの端部は支持脚３の突起３ｅに当接し上方に撓み、上述した弾性部１２ｂの復元力により、弾性部１２ｂは撓みを解消しよとする。その作用はカバー６を上方に付勢することになり、カバー６の上端前部６ｂは機器７の下端７ａと隙間無く当接する。カバー６の可動範囲は上方向、或いは、下方向に２ｍｍまでであり、弾性部材１２ｂの撓む範囲も搭載される機器の想定重量では端部が２ｍｍまで上方に撓むように形成されている。
【００７１】
なお、カバー６の上端前部６ｂは、段差部６ａが形成されていることにより最も高く形成されている。そのため、機器７の下端７ａにはカバー６の上端前部６ｂが必ず当接する構成となり、前方から搭載台１と機器７との接触部分を見たとき、隙間は確認できない。
【００７２】
また、図示していないが、カバー６の上端前面は機器７における下端７ａの前面の延長面に位置するもので、機器７の前面とカバー６の前面は段差の無い連続した面を構成し、機器７と搭載台の一体化を演出する。
【００７３】
次に、図１１、図１２により支持脚を基台に固定するために用いる支持脚固定部材について説明する。
【００７４】
図に示すように支持脚固定部材１４は、図５に示した支持脚９を固定するための支持脚固定部材１４である場合、底面が支持脚９の断面と同様台形形状であり、枠部１４ａと、枠部１４ａの内側に複数形成されたＬ字状の保持手段１４ｂと、外周に形成された板状のスライド面１４ｃ〜１４ｆを有する。保持手段１４ｂの一部には切り欠きで保持部１４ｇが形成されている。
【００７５】
支持脚固定部材１４は、支持脚９にカバー１０を取付けたとき、カバー１０が短くて溝８ｂに届かなかった時でも、違和感がないように黒色などの暗い色を用いる。
【００７６】
なお、枠部１４ａは、支持脚９（図示せず）および機器７（図示せず）の重量を受ける機能とともに、保持手段１４ｂに加わる力、特に水平方向の力を軽減し、保持手段１４ｂの破損を防止する機能を有する。
【００７７】
また、スライド面１４ｃ〜１４ｆは、１ｍｍ〜２ｍｍの厚みを有するが、基台の上面より高くなるように形成されている。また、スライド面１４ｃ〜１４ｆは、形成箇所によって広さが大きく異なる。この点は支持脚の固定方法に関係するので、図１２により説明する。
【００７８】
支持脚固定部材１４は、搭載台１（図示せず）に搭載する機器７の形状に合わせて、基台２（図示せず）上の適切な位置に支持脚９を位置決めし、かつ支持脚９が直立するように正しい姿勢に固定する必要がある。
【００７９】
基台２上の適切な位置に支持脚９を固定するため、支持脚固定部材１４と基台２とは、位置決め孔を支持脚固定部材１４と基台２のいずれか一方に形成し、位置決め孔に挿入する位置決め突起を他方に形成し、位置決め突起を位置決め孔に挿入することによって、支持脚固定部材１４を基台２上の適切な位置に固定する。固定には、ネジ留め、接着剤による接着、溶着などがある。なお、基台２に支持脚固定部材１４を一体成形することも可能である。
【００８０】
図１３では、支持脚９を支持脚固定部材１４に固定する工程を説明する。
【００８１】
支持脚９の下部にも枠体９ｃが形成されている。枠体９ｃ内には、Ｌ字状の嵌合手段９ｄが形成され、嵌合手段９ｄの端部には嵌合部９ｅが形成されている。
【００８２】
支持脚９を支持脚固定部材１４に向って矢印Ｖ方向に降ろし、図１３（ｂ）に示すように枠体９ｃの一部を支持脚固定部材１４における最も広いスライド面１４ｃに当接させる。
【００８３】
そのとき少なくとも支持脚固定部材１４の枠体１４ａは支持脚９に当接するが、スライド面１４ｃと対向して位置する最も狭いスライド面１４ｅには支持脚９の枠体９ｃは当接していない。
【００８４】
図１３（ｂ）で支持脚９を矢印Ｗ方向に横滑りさせると、支持脚９の枠体９ｃは広いスライド面１４ｃ上を横滑り、図１０（ｃ）に示すように嵌合手段９ｄ端部に形成された嵌合部９ｅが保持部１４ｇに係合する。支持脚９を最後まで横滑りさせると、支持脚９の枠体９ｃは、スライド面１４ｃと対向して位置するスライド面１４ｅにも当接する。
【００８５】
スライド面１４ｃ上を支持脚９の枠体９ｃが横滑りすることにより、基台２（図示せず）に傷をつけることがない。また、スライド面１４ｃ〜１４ｆは、支持脚固定時の横滑り方向に対して、手前に位置するスライド面１４ｅは短く奥に位置するスライド面１４ｃを長く形成しているため、広いスライド面１４ｃに支持脚９の枠体９ｃを載せるのが容易で支持脚９の固定作業が容易となる。
【００８６】
さらに、支持脚９の横滑り方向に合わせてスライド面１４ｅなど狭いスライド面を形成することにより、支持脚３の固定完了時には、スライド面１４ｃ〜１４ｆは全て支持脚９の枠体９ｃで隠れるので、極めて見栄えが良い。
【００８７】
さらに、支持脚９の枠体９ｃによりスライド面１４ｃ〜１４ｆに傷がついても、支持脚９の固定完了時には、スライド面１４ｃ〜１４ｆは全て支持脚９の枠体９ｃで隠れるので、問題とならない。
【００８８】
図１３（ｃ）の状態では、支持脚９の枠体９ｃの全てがスライド面１４ｃ〜１４ｆのいずれかに載っているので、支持脚９は正しい姿勢で直立し、かつ非常に安定してぐらつきや傾斜を防止することができる。
【００８９】
なお、スライド面１４ｃ〜１４ｆの外形は、支持脚９の枠体９ｃの外形より０．５ｍｍ程度小さく形成しており、枠体９ｃ全てがスライド面１４ｃ〜１４ｆに載るものの、スライド面１４ｃ〜１４ｆは全て枠体９ｃで隠れる構成となっている。
【００９０】
また、嵌合部９ｅと保持部１４ｇの係合部分は、嵌合部９ｅと保持部１４ｇの対向面では隙間Ａが形成され、嵌合部９ｅと保持部１４ｇの対向面の上下では、当接面Ｂ、Ｃのように支持脚９と支持脚固定手段１４は隙間無く当接している。
【００９１】
これにより、嵌合部９ｅと保持部１４ｇの対向面では破損、磨耗が発生し難く、搭載台１の長寿命化を図ることができる。
【００９２】
なお、支持脚固定部材１４のスライド面１４ｃ〜１４ｆの角部１４ｈ（図１３（ａ）に記載）は、面取り加工が施されている（径０．１〜０．３ｍｍ）。この構成により、支持脚９の横滑り作業において、支持脚９の枠体９ｃが容易にスライド面１４ｅに載る。さらに、面取り加工が施されていることにより、支持脚９の枠体９ｃの下に位置する支持脚固定部材１４のスライド面１４ｃ〜１４ｆの端部に光が届きにくくなり、支持脚９と基台２の間にある支持脚固定部材１４が見えにくくなる。結果として支持脚９と基台２との一体化が図れる。
【００９３】
なお、上記実施の形態では支持脚９を断面台形形状などとしたが、支持脚９がカバー６により隠れる形状であれば、断面半円形状、断面三角形状を含め種々の形状が選択可能である。
【産業上の利用可能性】
【００９４】
本発明に係る機器の搭載台は、薄型のテレビジョン受像機、モニターを始め、各種機器に用いることができる。
【図面の簡単な説明】
【００９５】
【図１】本発明の実施の形態における機器の搭載台に機器を搭載した状態を示す正面図
【図２】（ａ）は同搭載台の支持脚部分を示す分解斜視図、（ｂ）は同支持脚部分の斜視図
【図３】同搭載台の支持脚とカバーの取付け方法を説明する要部斜視図
【図４】（ａ）は同搭載台の支持脚とカバーの取付け前の状態を示す要部側面図、（ｂ）は同搭載台の支持脚とカバーの取付け状態を示す要部側面図
【図５】（ａ）は本発明の他の実施の形態における機器の搭載台の支持脚部分を示す分解斜視図、（ｂ）は同支持脚部分の斜視図
【図６】図２に示す支持脚部分の要部断面図
【図７】（ａ）は本発明の他の実施の形態における機器の搭載台の支持脚部分の要部断面図、（ｂ）は図７（ａ）に示す支持脚上端部の要部平面図
【図８】（ａ）は本発明の他の実施の形態における機器の搭載台の支持脚部分の要部断面図、（ｂ）は図７（ａ）に示す支持脚上端部の要部平面図
【図９】は本発明の他の実施の形態における機器の搭載台の支持脚部分の要部断面図
【図１０】（ａ）は図８に示す機器の搭載台に機器を載置する前の状態を示す要部断面図、（ｂ）は同搭載台に機器を載置した状態を示す要部断面図
【図１１】本発明の実施の形態における機器の搭載台の支持脚固定部材を示す斜視図
【図１２】同支持脚固定部材の平面図
【図１３】（ａ）は図５に示す支持脚と図１１に示す支持脚固定部材の固定前の状態を示す断面図、（ｂ）は同固定作業の一部を示す断面図、（ｃ）は同固定作業完了状態を示す断面図
【図１４】（ａ）は従来の機器の搭載台に機器を搭載した状態を示す正面図、（ｂ）は図１４（ａ）の分解図
【符号の説明】
【００９６】
１    搭載台
２    基台
３    支持脚
３ａ    前部
３ｂ    後部
３ｃ    取付突起
３ｄ    上端部
３ｅ    突起
４    支持棒
５    連結部材
６    カバー
６ａ    段差部
６ｂ    上端前部
６ｃ    下端部
６ｄ    側部
６ｅ    取付溝
６ｆ    壁部
６ｇ    上端部
７    機器
８ａ、８ｂ    溝
９    支持脚
９ａ    前面
９ｂ    後面
９ｃ    枠体
９ｄ    嵌合手段
９ｅ    嵌合部
１０    カバー
１０ａ    段差部
１０ｂ    上端前部
１０ｃ    下端部
１１    弾性手段
１１ａ    孔
１１ｂ    弾性部
１１ｃ    固定部
１１ｄ    接触部
１２    弾性手段
１２ａ    孔
１２ｂ    弾性部
１２ｃ    固定部
１３    弾性手段
１４    支持脚固定部材
１４ａ    枠体
１４ｂ    保持手段
１４ｃ、１４ｄ、１４ｅ、１４ｆ    スライド面
１４ｇ    保持部
１４ｈ    角部
【図１】
2008187600.tif 000003
【図２】
2008187600.tif 000004
【図３】
2008187600.tif 000005
【図４】
2008187600.tif 000006
【図５】
2008187600.tif 000007
【図６】
2008187600.tif 000008
【図７】
2008187600.tif 000009
【図８】
2008187600.tif 000010
【図９】
2008187600.tif 000011
【図１１】
2008187600.tif 000012
【図１２】
2008187600.tif 000013
【図１３】
2008187600.tif 000014
【図１４】
2008187600.tif 000015
【図１０】
2008187600.tif 000016